(57)【要約】【課題】機材を接続して取り付ける場合、他の部材で締め付けて固定する必要がなくて自動でロッキングすることができるとともに、構造がより合理的で、操作がより簡単且つ便利である迅速接続構造を提供する。【解決手段】迅速接続構造であって、台座本体と、該台座本体の外に摺動可能に挿通されたロッキングスリーブと、下方が該台座本体の接続穴に挿通された接続平台と、台座本体の下部に設けられてロッキングスリーブを該台座本体の外壁に沿って上へ復位させるロッキングスプリングと、を備え、前記台座本体内に少なくとも２セットの平台ロッキングアセンブリが設けられる。【選択図】図１
2018025741.tif 000002
【特許請求の範囲】
【請求項１】
台座本体（１）と、該台座本体（１）の外に摺動可能に挿通されたロッキングスリーブ（２）と、下方が該台座本体（１）の接続穴（１２）に挿通された接続平台（３）と、台座本体（１）の下部に設けられてロッキングスリーブ（２）を該台座本体（１）の外壁に沿って上へ復位させるロッキングスプリング（４）と、を備え、前記台座本体（１）内に少なくとも１セットの平台ロッキングアセンブリ（５）が設けられ、前記平台ロッキングアセンブリ（５）は、該台座本体（１）の貫通穴（１１）に設けられたロッキングブロック（５１）と、ロッキングブロック（５１）を外へ復位して該ロッキングスリーブ（２）のロッキング軸穴（２１）の穴壁に接触させるロッキングブロックリターンスプリング（５２）と、を備え、前記のロッキング軸穴（２１）は上部が広くて下部が狭いテーパ穴であり、前記接続平台（３）の下部の挿入柱（３１）の側壁に該ロッキングブロック（５１）のロッキング台（５１１）が落ち込むためのロッキング係止口（３２）が設けられ、前記ロッキングスプリング（４）の弾力が該ロッキングブロックリターンスプリング（５２）の弾力よりも大きいことを特徴とする迅速接続構造。
【請求項２】
該ロッキングブロック（５１）のロッキング台（５１１）の端部及び該接続平台（３）の下部のロッキング係止口（３２）に互いにマッチングする傾斜面が設けられることを特徴とする請求項１に記載の迅速接続構造。
【請求項３】
前記台座本体（１）の接続穴（１２）、接続平台（３）の下部の挿入柱（３１）は、それぞれ上部が広くて下部が狭い傾斜穴又は傾斜柱であり、前記ロッキング台（５１１）の下縁（５１１１）が傾斜面であり、前記挿入柱（３１）のロッキング係止口（３２）の底面（３２１）が傾斜面であり、前記ロッキング係止口（３２）の大きさが該ロッキングブロック（５１）のロッキング台（５１１）よりも大きいことを特徴とする請求項１に記載の迅速接続構造。
【発明の詳細な説明】
【技術分野】
【０００１】
本発明は撮影機材に関し、特に撮影機材の迅速接続構造に関する。
【背景技術】
【０００２】
現在、撮影機材同士を接続した後、常にねじでロッキング固定する必要があり、このような方法では機材の接続取付が比較的に遅くなる問題を引き起こし、緊急の場合には常に撮影のタイミングを遅延することがある。公知のように、素晴らしいモーメントを撮影して、トップニュースを最初に公布するメディア時代においては、時間が命であり、如何に撮影機材の接続効率を向上させるかは非常に重要なことである。
【発明の概要】
【発明が解決しようとする課題】
【０００３】
本発明は、従来技術の不足を克服して、機材を接続して取り付ける場合、他の部材で締め付けて固定する必要がなくて自動でロッキングすることができるとともに、構造がより合理的で、操作がより簡単且つ便利である迅速接続構造を提供することを目的とする。
【課題を解決するための手段】
【０００４】
上記の技術的課題を解決するために、本発明は以下の技術的手段を採用する。
【０００５】
本発明の迅速接続構造は、台座本体と、該台座本体の外に摺動可能に挿通されたロッキングスリーブと、下方が該台座本体の接続穴に挿通された接続平台と、台座本体の下部に設けられてロッキングスリーブを該台座本体の外壁に沿って上へ復位させるロッキングスプリングと、を備え、前記台座本体内に少なくとも１セットの平台ロッキングアセンブリが設けられ、前記平台ロッキングアセンブリは、該台座本体の貫通穴に設けられたロッキングブロックと、ロッキングブロックを外へ復位して該ロッキングスリーブのロッキング軸穴の穴壁に接触させるロッキングブロックリターンスプリングと、を備え、前記のロッキング軸穴は、上部が広くて下部が狭いテーパ穴であり、前記接続平台の下部の挿入柱側壁に該ロッキングブロックのロッキング台が落ち込むためのロッキング係止口が設けられ、前記ロッキングスプリングの弾力が該ロッキングブロックリターンスプリングの弾力よりも大きい。
【０００６】
上記迅速接続構造の改良手段において、該ロッキングブロックのロッキング台の端部と該接続平台の下部のロッキング係止口に互いにマッチングする傾斜面が設けられる。
【０００７】
上記迅速接続構造の改良手段において、前記台座本体の接続穴、接続平台の下部の挿入柱がそれぞれ上部が広くて下部が狭い傾斜穴、傾斜柱であり、前記ロッキング台の下縁が傾斜面であり、前記挿入柱のロッキング係止口の底面が傾斜面であり、前記ロッキング係止口の大きさが該ロッキングブロックのロッキング台よりも大きい。
【発明の効果】
【０００８】
従来技術に比べて、本発明の有益な効果は以下の通りである。本発明は、台座本体の外に挿通されたロッキングスリーブを下へ摺動する際にロッキングスリーブのテーパ状ロッキング軸穴の穴壁によりロッキングブロックに対するロックを取り除いて、ロッキングブロックリターンスプリングの作用で、ロッキングブロックを外へ移動させ、この際に機材を取り付けるための接続平台を挿入することができ、そして、ロッキングスリーブをリリースして、ロッキングスプリングの作用でロッキングスリーブが上へ復位することでロッキングブロックは台座本体の接続穴方向へ摺動して接続平台の下部のロッキング係止口に係止される。このようにして、ロッキングスリーブが復位した後接続平台に対する取付ロックを自動で完成し、ねじ等の部材で平台をロックする必要がないので、本発明の構造はより合理的で、操作がより簡単且つ便利である。
【０００９】
以下、図面と具体的な実施形態を参照しながら本発明を更に詳しく説明する。
【図面の簡単な説明】
【００１０】
【図１】図１は本発明の実施例１の斜視模式図１である。
【図２】図２は本発明の実施例１の構造模式図１（縦方向）である。
【図３】図３は本発明の実施例１の構造模式図２（横方向）である。
【図４】図４は本発明の実施例１の組み立て模式図である。
【図５】図５は本発明の実施例２の構造模式図１（縦方向）である。
【図６】図６は本発明の実施例２の構造模式図２（横方向）である。
【図７】図７は本発明の実施例２の組み立て模式図である。
【発明を実施するための形態】
【００１１】
本発明は迅速接続構造であり、図１〜７に示すように、台座本体１と、該台座本体１の外に摺動可能に挿通されたロッキングスリーブ２と、下方が該台座本体１の接続穴１２に挿通された接続平台３と、台座本体１の下部に設けられてロッキングスリーブ２を該台座本体１の外壁に沿って上へ復位させるロッキングスプリング４と、を備え、前記台座本体１内に少なくとも１セットの平台ロッキングアセンブリ５が設けられ、前記平台ロッキングアセンブリ５は、該台座本体１の貫通穴１１に設けられたロッキングブロック５１と、ロッキングブロック５１を外へ復位して該ロッキングスリーブ２のロッキング軸穴２１の穴壁に接触させるロッキングブロックリターンスプリング５２と、を備え、前記のロッキング軸穴２１は上部が広くて下部が狭いテーパ穴であり、前記接続平台３の下部の挿入柱３１側壁に該ロッキングブロック５１のロッキング台５１１が落ち込むためのロッキング係止口３２が設けられ、前記ロッキングスプリング４の弾力は該ロッキングブロックリターンスプリング５２の弾力よりも大きく、ロッキングスリーブの復位が完成する場合、ロッキングブロック５１のロッキング台５１１が該ロッキング係止口３２に係止され、ロッキングブロック５１の外端面が該ロッキングスリーブ２のロッキング軸穴２１の穴壁に当接される。このようにすることで接続平台３は引き抜くことができず、これにより接続平台の取付及び位置決めを実現する。
【００１２】
本発明はカメラ等の撮影機材を接続する場合、先に機材を接続平台３に取り付けて、次に接続平台３の下部の挿入柱３１を台座本体１の接続穴１２に位置合わせるとともに、手でロッキングスリーブ２を下へ引いてロッキングスプリング４の弾力を克服した後下へ摺動させ、この際、ロッキングブロック５１に対向する部分のロッキング軸穴２１の孔径が大きくなり、そして、ロッキングブロックリターンスプリング５２の作用で、貫通穴１１でのロッキングブロック５１を外へ摺動させ、ロッキングブロック５１のロッキング台５１１が台座本体１の接続穴１２から離れる際、接続平台３の下部の挿入柱３１を台座本体１の接続穴１２に挿入することができ、そして、ロッキングスリーブ２をリリースして、ロッキングスプリング４の作用で、ロッキングスリーブ２を上へ復位し、この際テーパ状のロッキング軸穴２１の穴壁の推力作用により、ロッキングブロック５１を内へ摺動させ、ロッキングブロック５１のロッキング台５１１が挿入柱３１のロッキング係止口３２に係止されている時には、接続平台３を引き抜くことができず、このようにして、撮影機材の迅速接続取付を完成する。
【００１３】
以上から分かるように、本発明は、台座本体の外に挿通されたロッキングスリーブを下へ摺動する際にロッキングスリーブのテーパ状ロッキング軸穴の穴壁によりロッキングブロックに対するロックを取り除いて、ロッキングブロックリターンスプリングの作用で、ロッキングブロックを外へ移動させ、この際に機材を取り付けるための接続平台３を挿入することができ、そして、ロッキングスリーブをリリースして、ロッキングスプリング４の作用でロッキングスリーブが上へ復位することでロッキングブロック５１は台座本体１の接続穴１２の方向へ摺動して接続平台３の下部のロッキング係止口３２に係止し、このようにして、ロッキングスリーブが復位した後接続平台３に対する取付ロックを自動で完成し、ねじ等の部材で平台をロックする必要がないので、本発明の構造はより合理的で、操作がより簡単且つ便利である。
【００１４】
実施例１において、図２〜図４に示すように、該ロッキングブロック５１のロッキング台５１１の端部及び該接続平台の下部のロッキング係止口３２にそれぞれ互いにマッチングする勾配が設けられ、これによりロッキング係止口がちょうどロッキング台の上、下端に係止され、このようにロッキング台をロッキング係止口に摺り込みやすいとともに、接続平台の緩みを減少し、これにより撮影機材の揺れを減少することができる。
【００１５】
実施例２において、図５〜７に示すように、前記台座本体１の接続穴１２、接続平台３の下部の挿入柱３１がそれぞれ上部が広くて下部が狭い傾斜穴、傾斜柱であり、前記ロッキング台５１１の下縁５１１１が傾斜面であり、前記挿入柱３１のロッキング係止口３２の底面３２１が傾斜面であり、前記ロッキング係止口３２の大きさを該ロッキングブロック５１のロッキング台５１１よりも大きくし（係止口はロッキングブロックが接続平台を下へ引くことに干渉しない）、使用する際、ロッキング台５１１の斜め下縁５１１１がロッキング係止口３２の斜め底面３２１に作用することにより、接続平台３を下へ引き、そして、接続平台の挿入柱３１をより緊密に台座本体１の接続穴１２の穴壁に貼り付ける。このようにすることで以下のような２つの利点を有する。１、挿入柱と接続穴との間の隙間を取り除くことができ、これにより接続平台の緩みを避けて、更に撮影機材の揺れを減少し、これにより撮影品質をさらに向上させることを達成する。２、一定の時間使用して、ロッキング台５１１とロッキング係止口３２との間、挿入柱３１と台座本体１の接続穴１２との間に一定の摩損がある場合でも、挿入柱３１の底面と台座本体１の接続穴１２の底面との間、台座本体１の最上面と接続平台３の支持突出台３３の底面との間、及び挿入柱３１と台座本体１の接続穴垂直壁との間にはいずれも余裕が残留されており、このようにロッキング台５１１の斜め下縁５１１１がロッキング係止口３２の斜め底面３２１に作用すれば、接続平台３を下へ引いて摩損による接続平台の揺れを取り除くことにより、長時間に使用する場合にも撮影品質の安定性を確保することができる。本実施例において、ロッキング係止口３２の最上面３２２、ロッキング台５１１の上縁５１１２も傾斜なものであり、勿論、これらはまっすぐなものであってもよい。
【００１６】
本実施例１、２において、接続平台３の挿入柱３１と台座本体１の接続穴１２は六角形であり、勿論、四角形、五角形、楕円形等の非円形であってもよい。また、具体的には、本実施例１、２において、３セットの平台ロッキングアセンブリ５がある。
【００１７】
実施例１、２において、台座本体１は台座１３及び本体１４を含み、これらは更にねじ７によって一体に接続固定される。
【００１８】
以上に記載されたのは、ただ本発明の好ましい実施例のみであり、本発明の実施範囲を限定するためのものではない。即ち、本発明の出願特許範囲の内容に応じて行った同等の変更及び修飾は、すべて本発明の技術範囲に属すべきである。
【図１】
2018025741.tif 000003
【図２】
2018025741.tif 000004
【図３】
2018025741.tif 000005
【図４】
2018025741.tif 000006
【図５】
2018025741.tif 000007
【図６】
2018025741.tif 000008
【図７】
2018025741.tif 000009